【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
基地局と複数のユーザ機器（ＵＥ）送受信機とを含む無線ネットワークにおいてアンテナを選択する方法であって、
ワイヤレスネットワークの基地局において、前記ネットワークの送受信機によってサウンディング基準信号（ＳＲＳ）を送信する時間及び周波数を指定することであって、前記送受信機は、利用可能なアンテナのセットを含む、指定すること、
前記指定された時間及び周波数の前記ＳＲＳを送信するのにいずれのアンテナを使用するのかを指定すること、
前記指定された時間、周波数、及びアンテナに従って前記送受信機によって前記ＳＲＳを送信すること、
前記受信されたＳＲＳに基づき、前記基地局において、前記利用可能なアンテナのセットのうちのアンテナのサブセットを選択すること、及び
前記選択されたアンテナのサブセットを前記送受信機へ示すこと、
を含む、方法。
【請求項２】
前記選択されたアンテナのサブセットを使用して前記送受信機によってデータを送信することをさらに含む、請求項１に記載の方法。
【請求項３】
前記送受信機から前記基地局へアンテナ選択能力情報を送信すること、
前記基地局から前記送受信機へ前記アンテナ選択能力情報を確認すること、
前記基地局から前記送受信機へアンテナ選択パラメータのセットを送信すること、
前記基地局から前記送受信機へアンテナ選択要求を送信すること、及び
前記基地局から前記送受信機へアンテナ選択決定を送信すること、
をさらに含む、請求項１に記載の方法。
【請求項４】
前記アンテナ選択パラメータを前記アンテナ選択要求と組み合わせることをさらに含む、請求項３に記載の方法。
【請求項５】
前記アンテナ選択を前記アンテナ選択決定と組み合わせることをさらに含む、請求項１に記載の方法。
【請求項６】
前記アンテナ選択は、周期的に行われる、請求項１に記載の方法。
【請求項７】
前記アンテナ選択を適応的に行うことをさらに含む、請求項１に記載の方法。
【請求項８】
非ホッピングサウンディング基準信号に基づいて前記アンテナ選択を行うことをさらに含む、請求項１に記載の方法。
【請求項９】
ホッピングサウンディング基準信号に基づいて前記アンテナ選択を行うことをさらに含む、請求項１に記載の方法。
【請求項１０】
広帯域サウンディング基準信号に基づいて前記アンテナ選択を行うことをさらに含む、請求項１に記載の方法。
【請求項１１】
可変帯域幅サウンディング基準信号に基づいて前記アンテナ選択を行うことをさらに含む、請求項１に記載の方法。
【請求項１２】
狭帯域サウンディング基準信号に基づいて前記アンテナ選択を行うことをさらに含む、請求項１に記載の方法。
【請求項１３】
周期的なアンテナ選択と適応的なアンテナ選択との間でスイッチングすることをさらに含む、請求項１に記載の方法。
【請求項１４】
相対アンテナインデックスに基づいて前記アンテナ選択を行うことをさらに含む、請求項１に記載の方法。
【請求項１５】
絶対アンテナインデックスに基づいて前記アンテナ選択を行うことをさらに含む、請求項１に記載の方法。
【請求項１６】
非同期ＨＡＲＱプロトコルに基づいて、パケット再送のための前記アンテナ選択を行うことをさらに含む、請求項１に記載の方法。
【請求項１７】
同期ＨＡＲＱプロトコルに基づいて、パケット再送のための前記アンテナ選択を行うことをさらに含む、請求項１に記載の方法。
【請求項１８】
前記アンテナ選択パラメータは、送信帯域幅、開始帯域幅位置又は終了帯域幅位置、送信周期、巡回シフトホッピング系列、送信サブフレーム、パイロットサブキャリアの密度を示す繰り返しファクタ、前記ＳＲＳ送信の継続時間、サブフレーム内における前記ＳＲＳのシンボル位置、及びホッピングＳＲＳ関連パラメータを含む、請求項３に記載の方法。
【請求項１９】
前記基地局において、前記送受信機によってデータ復調基準信号を送信する時間及び周波数を指定すること、
前記指定された時間及び周波数の前記データ復調基準信号を送信するのにいずれのアンテナを使用するのかを指定すること、
前記指定された時間、周波数、及びアンテナに従って前記送受信機によって前記データ復調基準信号を送信すること、及び
前記受信されたデータ復調基準信号に基づき、前記基地局において、前記利用可能なアンテナのセットのうちのアンテナのサブセットを選択すること、
をさらに含む、請求項１に記載の方法。
【請求項２０】
前記無線ネットワークは、ＯＦＤＭネットワークである、請求項１に記載の方法。
【請求項２１】
前記無線ネットワークは、ＯＦＤＭＡネットワークである、請求項１に記載の方法。
【請求項２２】
前記無線ネットワークは、ＳＣ−ＦＤＭＡネットワークである、請求項１に記載の方法。
【請求項２３】
前記基地局は、前記周波数の帯域幅を指定する、請求項１に記載の方法。
【請求項２４】
基地局と複数のユーザ機器（ＵＥ）送受信機とを含む無線ネットワークにおいてアンテナを選択するシステムであって、
無線ネットワークの基地局であって、該基地局は、サウンディング基準信号（ＳＲＳ）を送信する時間及び周波数を指定するように構成されると共に、該指定された時間及び周波数の該ＳＲＳを送信するのにいずれのアンテナを使用するのかを指定するための手段をさらに備える、基地局と、
利用可能なアンテナのセットを含む送受信機であって、前記送受信機は、前記指定された時間、周波数、及びアンテナに従って前記ＳＲＳを送信するように構成されている、送受信機と、
前記受信されたＳＲＳに基づき、前記利用可能なアンテナのセットのうちのアンテナのサブセットを選択する手段と、
前記選択されたアンテナのサブセットを前記送受信機へ示す手段と、
を備える、システム。
【請求項２５】
アンテナのセットを備えた送受信機において、
スケジューリングに利用されるサウンディング基準信号を送信すべき時間及び周波数を示すサウンディング基準信号パラメータを基地局から受信するパラメータ受信手段と、
該パラメータ受信手段により受信したサウンディング基準信号パラメータが示す時間及び周波数において前記サウンディング基準信号を送信するアンテナのサブセットを前記アンテナのセットから指定するアンテナ指定手段と、
該アンテナ指定手段で指定されたアンテナのサブセットによりサウンディング基準信号を送信するサウンディング基準信号送信手段と、
前記サウンディング基準信号をもとに選択されたアンテナのデータを前記基地局から受信するアンテナデータ受信手段と
を備えたことを特徴とする送受信機。
【請求項２６】
前記アンテナのセットは、２つのアンテナからなり、前記アンテナのサブセットは１つのアンテナからなることを特徴とする請求項２５に記載の送受信機。
【請求項２７】
前記サウンディング基準信号は、周波数ホッピングされた信号であることを特徴とする請求項２５に記載の送受信機。
【請求項２８】
更に自己がアンテナ指定手段を有することを通知するサポート通知手段を備えたことを特徴とする請求項２５に記載の送受信機。
【請求項２９】
アンテナのセットを備えた送受信機のアンテナ選択方法において、
スケジューリングに利用するサウンディング基準信号を送信すべき時間及び周波数を示すサウンディング基準信号パラメータを基地局から受信するパラメータ受信ステップと、
該パラメータ受信ステップによる受信したサウンディング基準信号パラメータが示す時間及び周波数において前記サウンディング基準信号を送信するアンテナのサブセットを前記アンテナのセットから指定するアンテナ指定ステップと、
該アンテナ指定ステップで指定されたアンテナのサブセットによりサウンディング基準信号を送信するサウンディング基準信号送信ステップと、
前記サウンディング基準信号をもとに選択されたアンテナのデータを前記基地局から受信するアンテナデータ受信ステップと
を備えたことを特徴とするアンテナ選択方法。
【請求項３０】
前記アンテナのセットは、２つのアンテナからなり、前記アンテナのサブセットは１つのアンテナからなることを特徴とする請求項２９に記載のアンテナ選択方法。
【請求項３１】
前記サウンディング基準信号は、周波数ホッピングされた信号であることを特徴とする請求項２９に記載のアンテナ選択方法。
【請求項３２】
更に自己がアンテナ指定手段を有することを通知するサポート通知ステップを備えたことを特徴とする請求項２９に記載のアンテナ選択方法。